(57)【特許請求の範囲】
【請求項１】
背もたれ部材（２）と、該背もたれ部材（２）を支持する背支持部材（３）と、を備えた理美容椅子であって、
上記背もたれ部材（２）は、上記背支持部材（３）の帯板状の縦支持片部（31）が差し込まれる一文字状の差込孔部（23）と、前後スライド自在に設けられると共に後端に把持部（21ｂ）を有する位置決めピン部材（21）と、該位置決めピン部材（21）を前方へ常時弾発付勢する弾発付勢部材（22）と、を有し、
上記背支持部材（３）は、上記位置決めピン部材（21）の先端部（21ａ）が抜き差し可能な位置決め孔（32）を上記縦支持片部（31）に上下方向に複数有し、
上記背もたれ部材（２）を上記縦支持片部（31）に沿って上下スライドさせ、上記位置決めピン部材（21）を、複数の上記位置決め孔（32）の内の一つに差し込んで、上下位置を調整自在とし、
上記背もたれ部材（２）は、一文字状の上記差込孔部（23）を有する金属板製の芯部材（25）と、該芯部材（25）の左右両方向に延伸状に固着された一対の木製当て板部材（24）（24）と、上記芯部材（25）と一対の上記当て板部材（24）（24）を横断面視で包囲する背クッション部（20）と、を有し、
上記芯部材（25）は、横断面視で、一文字状の中央平坦板部（16）と、その中央平坦板部（16）から左右斜め前方へ延伸状に突設された左右一対の取付板部（17）（17）とを有する第１板状部材（25Ａ）と、上記差込孔部（23）を中央平坦板部（16）の背面と共に形成するコの字状部（26）と、該コの字状部（26）から左右斜め前方へ延伸状に突出する一対の取付部（27）（27）と、を有する第２板状部材（25Ｂ）を備え、
しかも、上記芯部材（25）の左右端縁の上記取付板部（17）と取付部（27）を、重ね合わせ状とした背面から、上記木製当て板部材（24）の内方端縁を当接して固着したことを特徴とする理美容椅子。
【発明の詳細な説明】
【技術分野】
【０００１】
本発明は、理美容椅子に関する。
【背景技術】
【０００２】
従来、着席した被施術者の背中を支持するための背もたれ部材を、油圧シリンダにて上下スライド自在に設けた理美容椅子が公知である（例えば、特許文献１参照）。
【先行技術文献】
【特許文献】
【０００３】
【特許文献１】特開２０１４−２００４７６号公報
【発明の概要】
【発明が解決しようとする課題】
【０００４】
しかし、背もたれ部材の上下位置を調整するための構造に関して、電気制御や油圧制御の部品が大量に必要になると共に、構造が複雑となり、製造を迅速かつ容易（安価）に行うことができないといった問題や、理美容椅子全体が重く、大型になるといった問題があった。
【０００５】
そこで、本発明は、背もたれ部材の上下位置を調整するための構造を簡素化でき、容易かつ迅速に製造が可能で、さらに、軽量かつコンパクトな理美容椅子の提供を目的とする。
【課題を解決するための手段】
【０００６】
上記目的を達成するために、本発明の理美容椅子は、背もたれ部材と、該背もたれ部材を支持する背支持部材と、を備えた理美容椅子であって、上記背もたれ部材は、上記背支持部材の帯板状の縦支持片部が差し込まれる一文字状の差込孔部と、前後スライド自在に設けられると共に後端に把持部を有する位置決めピン部材と、該位置決めピン部材を前方へ常時弾発付勢する弾発付勢部材と、を有し、上記背支持部材は、上記位置決めピン部材の先端部が抜き差し可能な位置決め孔を上記縦支持片部に上下方向に複数有し、上記背もたれ部材を上記縦支持片部に沿って上下スライドさせ、上記位置決めピン部材を、複数の上記位置決め孔の内の一つに差し込んで、上下位置を調整自在とし、上記背もたれ部材は、一文字状の上記差込孔部を有する金属板製の芯部材と、該芯部材の左右両方向に延伸状に固着された一対の木製当て板部材と、上記芯部材と一対の上記当て板部材を横断面視で包囲する背クッション部と、を有し、上記芯部材は、横断面視で、一文字状の中央平坦板部と、その中央平坦板部から左右斜め前方へ延伸状に突設された左右一対の取付板部とを有する第１板状部材と、差込孔部を中央平坦板部の背面と共に形成するコの字状部と、該コの字状部から左右斜め前方へ延伸状に突出する一対の取付部と、を有する第２板状部材を備え、しかも、上記芯部材の左右端縁の上記取付板部と取付部を、重ね合わせ状とした背面から、上記木製当て板部材の内方端縁を当接して固着したものである。
【発明の効果】
【０００７】
背もたれ部材の上下位置（高さ位置）を座部に対して調整する構造に関して、電気制御や油圧制御が不要で、構造を簡素化でき、製造を迅速かつ容易（安価）に行うことができる。理美容椅子全体を軽量かつコンパクトにできる。様々な体格の被施術者に合わせて背もたれ部材の上下位置を迅速かつスムーズに変更できる。
【図面の簡単な説明】
【０００８】
【図１】本発明の理美容椅子の実施の一形態を示す側面図である。
【図２】背面図である。
【図３】要部拡大断面図である。
【図４】要部拡大断面図である。
【図５】背もたれ部材の上下位置調整後の一例を示す側面図である。
【図６】背もたれ部材の上下位置調整後の一例を示す背面図である。
【図７】背部もたれ部材の一例を示す横断面図である。
【図８】肘掛部の一例を説明するための平面図である。
【図９】図８のＡ−Ａ断面図である。
【発明を実施するための形態】
【０００９】
以下、図示の実施形態に基づき本発明を詳説する。
本発明に係る理美容椅子は、図１乃至図３に示すように、座部４と背もたれ部材２と左右の肘掛部５，５と足踏み部（ステップ部）６とを有する椅子本体１と、椅子本体１を昇降自在かつ鉛直状の回転軸心Ｌａ廻りに回転自在に下方から支持すると共に床面Ｇに載置される基台９と、を備えている。
【００１０】
基台９は、椅子本体１を油圧シリンダのロッド91に取着して昇降自在としている。また、油圧シリンダのロッド91を固定のバレル部に対して軸心Ｌａ廻りに回転可能とすることで、椅子本体１を回転軸心Ｌａ廻りに回転自在に構成している。
基台９は椅子本体１を昇降させるためのフットスイッチや、図示省略するが作動油を貯えるタンク、作動油を圧送するための電動ポンプ、電磁切換え弁等を備えている。
【００１１】
椅子本体１は、座部４と肘掛部５とステップ部６とが取着される共に基台９に下方から支持される（油圧シリンダのロッド91が取着する）ベース部材11と、ベース部材11に取着されると共に背もたれ部材２を支持する側面視Ｌ字状の背支持部材３と、を備えている。
【００１２】
背もたれ部材２は、背クッション部20と、背支持部材３の帯板状の縦支持片部31が差し込み可能に下方開口状に形成される横断面一文字状の差込孔部23と、差込孔部23近傍かつ背クッション部20の後下端縁よりも下方位置で後方突出状に配設された円筒状のケーシング部29と、ケーシング部29に前後スライド自在に保持されると共に後端に把持部21ｂを有する位置決めピン部材21と、ケーシング部29に内装され位置決めピン部材21を前方へ常時弾発付勢する圧縮コイルバネから成る弾発付勢部材22と、を有している。
【００１３】
背支持部材３は、帯板形状であって、ベース部材11の後部の下面に取着する取付片部30と、取付片部30の後端から上方へ延伸状に設けた帯板状の縦支持片部31と、を有している。
さらに、縦支持片部31に位置決めピン部材21の先端部21ａが抜き差し可能な位置決め孔32を上下方向に複数有している。
【００１４】
位置決め孔32の数は、３つ以上が望ましい。好ましくは、４つ以上８つ以下とする。様々な体格（座高）の着席者に対応させることが可能になると共に、加工が容易であって好ましい。図例においては、６つ列設している。
【００１５】
位置決め孔32は、縦支持片部31に所定間隔毎に貫設されている。ピッチ寸法（孔中心と孔中心の上下間隔寸法）Ｐを、１５ｍｍ以上３５ｍｍに設定して、様々な体格（座高）の着席者に対応可能としている。
【００１６】
位置決めピン部材21の先端部21ａが、複数の位置決め孔32の内の１つに差し込まれることで、背もたれ部材２が、その上下方向移動が阻止されて背支持部材３に位置決めされた固定状態となる。
【００１７】
例えば、図１及び図２の背もたれ部材２の上下位置よりも高い位置に変更する場合は、散髪や毛染め等を行う美容師や理容師等の椅子操作者（施術者）が、位置決めピン部材21の把持部21ｂを持って、弾発付勢部材22の弾発力に抗して後方へ引くと、図４に示すように、位置決めピン部材21の先端部21ａが位置決め孔32から抜け、背もたれ部材２は、縦支持片部31に沿って上下スライド自在となる。
【００１８】
また、横断面一文字状（扁平矩形状）の差込孔部23に、横断面一文字状（扁平矩形状）の縦支持片部31が差し込まれているので、背もたれ部材２の振れや回転を防止しつつ、スムーズに上下スライド自在としている。
【００１９】
そして、背もたれ部材２を縦支持片部31に沿って上方へスライドさせ、複数の位置決め孔32の内から、所望の高さ位置で位置決めピン部材21に対応する孔を１つ選択して、位置決めピン部材21を後方へ引く操作力を解除すると、位置決めピン部材21の先端部21ａが、選択された一つの位置決め孔32に差し込まれ、図５及び図６に示すように上下（高さ）位置の調整が完了する。
【００２０】
つまり、背もたれ部材２を縦支持片部31に沿って上下スライドさせ、位置決めピン部材21を、複数の位置決め孔32の内の一つに差し込んで、座部４に対する背もたれ部材２の上下位置（高さ位置）を手動にて調整自在としている。
【００２１】
さらに、背もたれ部材２は、図７に示すように、横断面視一文字状の差込孔部23を有すると共に左右中間（中央）位置に配設される金属板製の芯部材25と、芯部材25の左右両側部に左右両方向に延伸状に固着された一対の木製当て板部材24，24と、芯部材25と一対の当て板部材24，24を横断面視で包囲する背クッション部20と、を有している。
【００２２】
芯部材25は、金属板製の第１板状部材25Ａと、第１板状部材25Ａの背面にネジ部材にて固着する金属板製の第２板状部材25Ｂと、を備えている。
第１板状部材25Ａは、横断面視で、一文字状の中央平坦板部16と、その中央平坦板部16の左右側縁から屈曲部をもって左右斜め前方へ延伸状に突設された左右一対の取付板部17，17と、を有している。
第２板状部材25Ｂは、横断面視で、差込孔部23を中央平坦板部16の背面と共に（共働きして）形成するコの字状部26と、横断面コの字状部26の開口両端縁部26ａ，26ａから夫々左右斜め前方へ延伸状に突出すると共に一対の取付板部17，17の背面にネジ部材にて固着する一対の取付部27，27と、を有している。
【００２３】
当て板部材24，24は、合板であって、横断面視で僅かに後方へ窪んだ円弧状に弯曲している。そして、当て板部材24，24は、第２板状部材25Ｂの取付部27，27の背面にネジ部材にて固着されている。
木製（合板）とすることで、高周波加熱やマイクロ波加熱等の誘導加熱や、蒸煮や煮沸処理等を行った後に、背もたれ部材２全体を着席者の背の形状に沿った円弧形状に容易に形成できる。しかも、十分な剛性を有しながらも軽量にできる。
背クッション部20は、少なくとも芯部材25及び一対の当て板部材24，24の前後左右上部を包囲している。
【００２４】
さらに、図１乃至図６に示すように、背もたれ部材２は、背クッション部20の下端縁よりも下方へ突出する金属板製の垂下片部28を有している。
図３及び図４に示すように、第２板状部材25Ｂの横断面コの字状部（縦溝部）26の底壁26ｂの下端に、垂下片部28を下方延伸状（一体状）に設けている。
そして、垂下片部28に、金属製の筒状部材を後方突出状に溶接にて固着してケーシング部29を形成し、位置決めピン部材21の先端部21ａを、垂下片部28の表て面28ａに対して、前後方向に出没自在に設けている。
【００２５】
さらに、図８に示すように、被施術者（着席者）の左肘に対応する肘掛部５（５Ａ）を、鉛直状の揺動軸心Ｌｂ廻りに開閉揺動自在としている。
肘掛部５の後端部（基端部）の下部をベース部材11と枢着し、前端部（先端部）の下部にロック用孔52を設けている。
【００２６】
図８及び図９に示すように、肘掛部５が閉じた状態（着席完了状態）でロック用孔52に先端部71ａが抜き差し可能なロックピン部材71と、ロックピン部材71を上方へ常時弾発付勢するコイルバネから成るバネ部材72と、ロックピン部材71を上下スライド自在に保持すると共にバネ部材72を内装する筒状のケース部79と、をベース部材11に設けている。
【００２７】
ロックピン部材71は、先端部71ａが先細りテーパ状に形成され、後端に持ち手部71ｂを有している。
ロックピン部材71を下方へ引くことで、先端部71ａがロック用孔52から抜かれ、ロック解除状態となり、肘掛部５Ａが開閉揺動自在となる。
【００２８】
また、ロックピン部材71をベース部材11に設け、ロック用孔52を肘掛部５に設けることで、肘掛部５を壁状（非枠形状）に形成でき、肘掛部５のデザインの自由度が増すと共に高級感を得ることができる。また、着席者をより安定して保持できる。
【００２９】
なお、着席者の右肘に対応する肘掛部５（５Ｂ）を、上述のように揺動自在とするも良い。つまり、左右の肘掛部５，５の少なくとも一方が、後端部の鉛直状の揺動軸心Ｌｂを中心として、先端部が前方から二点鎖線で示すように後方へ（揺動角度θが約１８０度となるように）揺動するように構成している。高齢者や身体弱者が、容易かつ迅速に、椅子本体１の側方から座部４に乗り降りできると共に、介助者の負担を軽減できる。例えば、車椅子から椅子本体１への移載（移動）を容易にできる。
【００３０】
また、ロックピン部材71の先端部71ａの形状は自由であるが、閉揺動の際に、肘掛部５Ａの左右内方下側縁部59が、ベース部材11の上面11ａから突出している先端部71ａに摺接し、ロックピン部材71がバネ部材72に抗して下方へスライドするような（閉操作する左右内方への力を下方への力に変換するような）傾斜面を左右外方側に有するものが望ましい。つまり、ロック解除後に、持ち手部71ｂを把持してロック操作を行わなくとも、ロックピン部材71が自動的に出没してロックするように設けて、ロック忘れを防止するのが望ましい。なお、このような傾斜面（テーパ面）を設けた場合は、ロック後に着席者が左右外方へ体重を掛けた場合に、ロック用孔52の内面によって先端部71ａが左右外方へ押されても下方へスライドしないようにするための当り面を先端部71ａの左右内方側に設けるのが望ましい。
【００３１】
なお、本発明は、設計変更可能であって、背支持部材３の縦支持片部31を左右水平状軸心廻りに揺動自在に設け、背もたれ部材２を前後方向に揺動自在とするも良い。基台９の椅子本体１を昇降させる構造や回転させる構造は自由である。
【００３２】
以上のように、本発明の理美容椅子は、背もたれ部材２と、背もたれ部材２を支持する背支持部材３と、を備えた理美容椅子であって、背もたれ部材２は、背支持部材３の帯板状の縦支持片部31が差し込まれる一文字状の差込孔部23と、前後スライド自在に設けられると共に後端に把持部21ｂを有する位置決めピン部材21と、位置決めピン部材21を前方へ常時弾発付勢する弾発付勢部材22と、を有し、背支持部材３は、位置決めピン部材21の先端部21ａが抜き差し可能な位置決め孔32を縦支持片部31に上下方向に複数有し、背もたれ部材２を縦支持片部31に沿って上下スライドさせ、位置決めピン部材21を、複数の位置決め孔32の内の一つに差し込んで、上下位置を調整自在としたので、背もたれ部材２の上下位置を調整するための構造に関して、複雑な電気制御や油圧制御が不要で、構造を簡素化でき、製造を迅速かつ容易（安価）に行うことができる。理美容椅子全体を軽量かつコンパクトにできる。様々な体格の被施術者に合わせて、座部４に対する背もたれ部材２の高さを迅速かつスムーズに変更できる。
【００３３】
また、背もたれ部材２は、一文字状の差込孔部23を有する金属板製の芯部材25と、芯部材25の左右両方向に延伸状に固着された一対の木製当て板部材24，24と、芯部材25と一対の当て板部材24，24を横断面視で包囲する背クッション部20と、を有するので、背もたれ部材２を、被施術者の背の形状に沿った形状に容易（安価）に製造できる。十分な剛性及び強度を有しながらも、軽量にできる。
【符号の説明】
【００３４】
２  背もたれ部材
３  背支持部材
20  背クッション部
21  位置決めピン部材
21ａ  先端部
21ｂ  把持部
22  弾発付勢部材
23  差込孔部
24  当て板部材
25  芯部材
31  縦支持片部
32  位置決め孔
【図１】
0006585954.tif 000002
【図２】
0006585954.tif 000003
【図３】
0006585954.tif 000004
【図４】
0006585954.tif 000005
【図５】
0006585954.tif 000006
【図６】
0006585954.tif 000007
【図７】
0006585954.tif 000008
【図８】
0006585954.tif 000009
【図９】
0006585954.tif 000010